(57)【特許請求の範囲】
【請求項１】
釣糸に編み込み線材を連結する釣糸接続具において、先端に前記釣糸を仮止めするために二つ折りにしてループ状接続部を形成した基部となる線材に、別体の添接線材を添接し、前記基部となる線材と別体の添接線材を束ねて該線材の束に前記編み込み線材を編み込んで、前記編み込み線材を前記ループ状接続部に仮止めした釣糸に前記ループ状接続部を通って移動できるようにしたことを特徴とする釣糸接続具。
【発明の詳細な説明】
【０００１】
【発明の属する技術分野】
この発明は、釣糸に編み込み線材を連結する釣糸接続具の改良に関する。
【０００２】
【従来の技術】
従来鮎釣で一般的に用いられる金属ラインは、折れ曲がるとその部分が弱くなる。
そのため他の釣糸と直接結んで使用することはなく、金属ラインにラインを編み付けた線材を介して他の釣糸を止着していた。
即ち、金属ラインにナイロン等の合成樹脂からなる釣糸を連結させる際には、先端にル−プ（環状部）を形成した線材の外周に予めナイロンからなる編み込み線材を編み込んでおき、前記ル−プに金属ラインを通した後、編み込んでいる部分を移動させ、ル−プの外周を通過させて金属ライン側に移動させて固定保持する方法をとっていた。
しかしながら、ナイロンは経時変化等で収縮して作成時よりル−プを形成した線材に対する編み込み部の締め付けが強くなってしまうため、金属ライン側への移動が上手くいかなかったり、切れてしまう問題も生じていた。
【０００３】
【発明が解決しようとする課題】
解決しようとする問題点は、ル−プを形成した線材に編み込んだ線材を釣糸に移動させる際、滑らかに移動できず、途中で止まってしまったり切れてしまうことである。
【０００４】
本発明の目的は前記欠点に鑑み、編み込んだ線材を基部となる線材から釣糸に容易に移動できて切れたりしない釣糸接続具を提供することである。
【０００５】
【問題を解決するための手段】
上記課題を解決するために、請求項１に係わる本発明は、釣糸に編み込み線材を連結する釣糸接続具において、先端に前記釣糸を仮止めするために二つ折りにしてループ状接続部を形成した基部となる線材に、別体の添接線材を添接し、前記基部となる線材と別体の添接線材を束ねて該線材の束に前記編み込み線材を編み込んで、前記編み込み線材を前記ループ状接続部に仮止めした釣糸に前記ループ状接続部を通って移動できるようにしたことを要旨とするものである。
【０００６】
【発明の実施の形態】
請求項１の本発明により、クッションとなる添接線材２が基部となる線材１と編み込み線材３の間に挿入されているため、編み込み線材３の編み込んでいる部分の移動の際添接線材２を抜き取る事で間隙を形成でき、基部となる線材１から釣糸４上へ滑らかに移動させることができる。
編み込み線材３の編み込みの中に基部となる線材１と添接線材２が挿通状態なので、編み込み線材３が収縮することがあっても添接線材２を引き抜くと緩い状態とすることが出来る。
そのため間隙が形成され編み込み線材３を基部となる線材１から釣糸４上に滑らかに移動させることができるので切れ難い。
編み込み線材３を基部となる線材１に編み込む際にクッションとなる添接線材２が介在するので、手元が見易く細い線材を用いても編み込み作業がし易い。
【０００７】
【実施例】
以下、図示の一実施例によって本発明を説明すると、図１は基部となる線材のル−プ状接続部に釣糸が仮止めされた釣糸接続具の側面図、図２は編み込み線材の編み込み工程を示す説明図で（ａ）は第１工程図で（ｂ）は第２工程図で（ｃ）は第３工程図で（ｄ）は第４工程図、図３は編み込みが終了した釣糸接続具の拡大側面図、図４は基部となる線材と添接線材が引き抜かれ釣糸が挿通された後の編み込み線材の拡大側面図、図５は釣糸に編み込み線材が連結され収縮後の要部拡大側面図である。
【０００８】
釣糸接続具Ａは、基部となる線材１に添接線材２が束ねられて両線材の束の外周に接続編み込み線材３が編み込まれ、基部となる線材１のル−プ状接続部１ａに金属製等の釣糸４が挿通されて仮止めされている。
基部となる線材１は滑りのよい金属線材やナイロン等の合成樹脂の柔軟性を有する線材で二つ折りされてル−プ状接続部１ａが形成され、端には保持部５が固定されている。
保持部５は２本を束ねた結び目であってもよい。
添接線材２は滑りのよい太いナイロン等の合成樹脂の柔軟性を有する線材や合成ゴム等のように表面が滑らかで弾性がある材料の線材が使用される。
編み込み線材３はナイロン等の合成樹脂で柔軟性、伸縮性を有する線材が使用される。
【０００９】
編み込み線材３が編み込まれる時は、図２の（ａ）のように基部となる線材１に添接線材２が束ねられてその外周の裏側に編み込み線材３が当てられ、（ｂ）のように編み込み線材３の左側の一端３ａと平行になるように右側の他端３ｂが基部となる線材１の前側を通して左側に折り返される。
次に（ｃ）のように一端３ａが基部となる線材１の前側を通して右側に折り返され、他端３ｂが基部となる線材１の裏側を通して右側に折り返される。
更に一端３ａが基部となる線材１の裏側を通して左側に折り返され、他端３ｂが基部となる線材１の前側を通して左側に折り返される。
その後一端３ａが基部となる線材１の前側を通して右側に折り返されて（ｄ）のようになる。
前記のように編み込み線材３の一端３ａと他端３ｂが基部となる線材１の前側と裏側を交互に通されて折り返されて図３の状態となり、一端３ａと他端３ｂで結び目３ｃ、３ｄが作られる。
【００１０】
図３の状態では、編み込み線材３の編み込みの中に基部となる線材１と添接線材２が挿通状態なので、編み込み線材３が経時変化で収縮することがあっても添接線材２を引き抜くと緩い状態とすることが出来る。
【００１１】
釣り場で図４、図５のように、編み込み線材３に金属製等の釣糸４が挿通固定される時は、図１のように基部となる線材１のル−プ状接続部１ａに金属製等の釣糸４が挿通されて仮止めされ、その後添接線材２を編み込み線材３の中から引き抜き、次に保持部５を一方の手で押え、もう一方の手で編み込んでいる部分を押えて基部となる線材１を編み込み線材３の中から引き抜くと、金属製等の釣糸４が編み込み線材３の中に挿通され、釣糸４を単線にすると図４の状態となる。
又は、予め添接線材２を編み込み線材３の中から引き抜き、保持部５を一方の手で押え、もう一方の手で編み込んでいる部分を前方へ移動させ、ル−プ状接続部１ａを通って釣糸４に移動させてもよい。
【００１２】
その後編み込み線材３の編み込み部分の両端を伸ばして収縮して釣糸４に締め付けると図５の状態となる。
その後釣糸４の外側の編み込み部分に接着剤を塗布してもよい。
結び目３ｃは長手方向に移動可能な締付具としてもよい。
結び目３ｄには図示しない針が固定された釣糸が連結される。
【００１３】
前記のように釣糸接続具Ａが構成されると、クッションとなる添接線材２が基部となる線材１と編み込み線材３の間に挿入されているため、編み込み線材３の編み込んでいる部分の移動の際添接線材２を抜き取る事で間隙を形成でき、基部となる線材１から釣糸４上へ滑らかに移動させることができる。
編み込み線材３の編み込みの中に基部となる線材１と添接線材２が挿通状態なので、編み込み線材３が経時変化で収縮することがあっても添接線材２を引き抜くと編み込み部分が移動可能な緩い状態とすることが出来る。
そのため間隙が形成され編み込み線材３を基部となる線材１から釣糸４上へ滑らかに移動させることができるので切れることがない。
編み込み線材３を基部となる線材１に編み込む際にクッションとなる添接線材２が介在するので、手元が見易く細い線材を用いても編み込み作業がし易い。
その際添接線材２の表面を鮮やかな色にすると、編み込んだ糸の交差具合いが分かり作業がし易くなる。
【００１４】
【発明の効果】
本発明は、以上説明したような形態で実施され、以下に記載されるような効果を奏する。
【００１５】
請求項１により、クッションとなる添接線材が基部となる線材と編み込み線材の間に挿入されているため、編み込み線材の編み込んでいる部分の移動の際添接線材を抜き取る事で間隙を形成でき、基部となる線材から釣糸上へ滑らかに移動させることができる。
編み込み線材の編み込みの中に基部となる線材と添接線材が挿通状態なので、編み込み線材が経時変化で収縮することがあっても添接線材を引き抜くと編み込み部分が移動可能な緩い状態とすることが出来る。
編み込み線材を基部となる線材から釣糸上へ滑らかに移動させることができるので移動しても切れ難い。
編み込み線材を基部となる線材に編み込む際にクッションとなる添接線材が介在するので、手元が見易く細い線材を用いても編み込み作業がし易い。
【図面の簡単な説明】
【図１】基部となる線材のル−プ状接続部に釣糸が仮止めされた釣糸接続具の側面図である。
【図２】編み込み線材の編み込み工程を示す説明図で（ａ）は第１工程図で（ｂ）は第２工程図で（ｃ）は第３工程図で（ｄ）は第４工程図である。
【図３】編み込みが終了した釣糸接続具の拡大側面図である。
【図４】基部となる線材と添接線材が引き抜かれ釣糸が挿通された後の編み込み線材の拡大側面図である。
【図５】釣糸に編み込み線材が連結され収縮後の要部拡大側面図である。
【符号の説明】
Ａ  釣糸接続具
１  基部となる線材
１ａ  接続部
２  添接線材
３  編み込み線材
４  釣糸
【図１】
0003862961.tif 000002
【図２】
0003862961.tif 000003
【図３】
0003862961.tif 000004
【図４】
0003862961.tif 000005
【図５】
0003862961.tif 000006